(57)【要約】【課題】優先度が低い操作装置から受信された制御情報に従って、宅内の機器を適切に制御することができる機器制御装置を提供する。【解決手段】機器制御装置１５は、宅内の機器を制御する機器制御装置であって、第１操作装置から第１制御情報を受信し、第１制御情報に従って機器を制御する制御部１５１と、第１制御情報に従う第１制御の開始後、第１制御情報を所定の時間記憶するための記憶部１５２とを備え、制御部１５１は、さらに、（ｉ）第１制御情報が記憶部１５２に記憶されている所定の時間内において第１操作装置よりも優先度が低い第２操作装置から第２制御情報を受信した場合、第２制御情報に従って機器を制御せず、（ｉｉ）所定の時間の後において第２操作装置から第２制御情報を受信した場合、第２制御情報に従って機器を制御する。【選択図】図２
2015188205.tif 000002
【特許請求の範囲】
【請求項１】
宅内の機器を制御する機器制御装置であって、
第１操作装置から第１制御情報を受信し、前記第１制御情報に従って前記機器を制御する制御部と、
前記第１制御情報に従う第１制御の開始後、前記第１制御情報を所定の時間記憶するための記憶部とを備え、
前記制御部は、さらに、（ｉ）前記第１制御情報が前記記憶部に記憶されている前記所定の時間内において前記第１操作装置よりも優先度が低い第２操作装置から第２制御情報を受信した場合、前記第２制御情報に従って前記機器を制御せず、（ｉｉ）前記所定の時間の後において前記第２操作装置から前記第２制御情報を受信した場合、前記第２制御情報に従って前記機器を制御する
機器制御装置。
【請求項２】
前記所定の時間は、前記第１制御の終了までの時間とは異なる
請求項１に記載の機器制御装置。
【請求項３】
前記制御部は、さらに、（ｉ）前記所定の時間内において前記第１制御の終了前に前記第２操作装置から前記第２制御情報を受信した場合、前記第１制御を継続し、（ｉｉ）前記所定の時間の後、前記第１制御の終了前に前記第２操作装置から前記第２制御情報を受信した場合、前記第１制御を停止する
請求項１または２に記載の機器制御装置。
【請求項４】
前記制御部は、さらに、前記所定の時間内において前記第１操作装置よりも優先度が高い第３操作装置から第３制御情報を受信した場合、前記第３制御情報に従って前記機器を制御する
請求項１〜３のいずれか１項に記載の機器制御装置。
【請求項５】
前記制御部は、さらに、前記所定の時間内において前記第１操作装置と優先度が同じ第４操作装置から第４制御情報を受信した場合、前記第４制御情報に従って前記機器を制御する
請求項１〜４のいずれか１項に記載の機器制御装置。
【請求項６】
前記制御部は、さらに、前記所定の時間内において前記第１操作装置と優先度が同じ第４操作装置から第４制御情報を受信した場合、前記第４制御情報に従って前記機器を制御せず、前記所定の時間の後において前記第４操作装置から前記第４制御情報を受信した場合、前記第４制御情報に従って前記機器を制御する
請求項１〜４のいずれか１項に記載の機器制御装置。
【請求項７】
前記制御部は、さらに、前記所定の時間内において前記第１操作装置から第５制御情報を受信した場合、前記第５制御情報に従って前記機器を制御する
請求項１〜６のいずれか１項に記載の機器制御装置。
【請求項８】
前記制御部は、さらに、前記第１操作装置とは別の操作装置であって、宅外の操作装置を前記第１操作装置よりも優先度が低い前記第２操作装置と識別する
請求項１〜７のいずれか１項に記載の機器制御装置。
【請求項９】
前記制御部は、さらに、前記第１操作装置が宅内の操作装置である場合、宅内の別の操作装置であって、前記第１操作装置よりも予め定められた優先度が低い操作装置を前記第１操作装置よりも優先度が低い前記第２操作装置と識別する
請求項１〜８のいずれか１項に記載の機器制御装置。
【請求項１０】
前記制御部は、さらに、前記第１操作装置が宅外の操作装置である場合、宅内の操作装置を前記第１操作装置よりも優先度が高い前記第３操作装置と識別する
請求項４に記載の機器制御装置。
【請求項１１】
前記制御部は、さらに、前記第１操作装置が宅内の操作装置である場合、宅内の別の操作装置であって、前記第１操作装置よりも予め定められた優先度が高い操作装置を前記第１操作装置よりも優先度が高い前記第３操作装置と識別する
請求項４または１０に記載の機器制御装置。
【請求項１２】
前記制御部は、さらに、前記所定の時間内において前記第２操作装置から宅内の別の機器を制御するための第６制御情報を受信した場合、前記第６制御情報に従って前記別の機器を制御する
請求項１〜１１のいずれか１項に記載の機器制御装置。
【請求項１３】
宅内の機器を制御する機器制御方法であって、
第１操作装置から第１制御情報を受信し、前記第１制御情報に従って前記機器を制御し、
（ｉ）前記第１制御情報に従う第１制御の開始後、前記第１制御情報が記憶部に記憶されている所定の時間内において前記第１操作装置よりも優先度が低い第２操作装置から第２制御情報を受信した場合、前記第２制御情報に従って前記機器を制御せず、（ｉｉ）前記所定の時間の後において前記第２操作装置から前記第２制御情報を受信した場合、前記第２制御情報に従って前記機器を制御する
機器制御方法。
【発明の詳細な説明】
【技術分野】
【０００１】
本開示は、宅内の機器を制御する機器制御装置および機器制御方法に関する。
【背景技術】
【０００２】
特許文献１は、被制御機器に近い場所の利用者が指示した制御内容を優先して実行し、被制御機器の機能を享受している間に他者によって制御内容が変更される可能性を低減させる機器制御装置を開示する。
【先行技術文献】
【特許文献】
【０００３】
【特許文献１】特開２０１３−９０３３号公報
【発明の概要】
【発明が解決しようとする課題】
【０００４】
本開示は、優先度が低い操作装置から受信された制御情報に従って、宅内の機器を適切に制御することができる機器制御装置および機器制御方法を提供する。
【課題を解決するための手段】
【０００５】
本開示の機器制御装置は、宅内の機器を制御する機器制御装置であって、第１操作装置から第１制御情報を受信し、前記第１制御情報に従って前記機器を制御する制御部と、前記第１制御情報に従う第１制御の開始後、前記第１制御情報を所定の時間記憶するための記憶部とを備え、前記制御部は、さらに、（ｉ）前記第１制御情報が前記記憶部に記憶されている前記所定の時間内において前記第１操作装置よりも優先度が低い第２操作装置から第２制御情報を受信した場合、前記第２制御情報に従って前記機器を制御せず、（ｉｉ）前記所定の時間の後において前記第２操作装置から前記第２制御情報を受信した場合、前記第２制御情報に従って前記機器を制御する。
【０００６】
また、本開示の機器制御方法は、宅内の機器を制御する機器制御方法であって、第１操作装置から第１制御情報を受信し、前記第１制御情報に従って前記機器を制御し、（ｉ）前記第１制御情報に従う第１制御の開始後、前記第１制御情報が記憶部に記憶されている所定の時間内において前記第１操作装置よりも優先度が低い第２操作装置から第２制御情報を受信した場合、前記第２制御情報に従って前記機器を制御せず、（ｉｉ）前記所定の時間の後において前記第２操作装置から前記第２制御情報を受信した場合、前記第２制御情報に従って前記機器を制御する。
【発明の効果】
【０００７】
本開示の機器制御装置および機器制御方法によれば、優先度が低い操作装置から受信された制御情報に従って、宅内の機器を適切に制御することができる。
【図面の簡単な説明】
【０００８】
【図１】実施の形態１に係る遠隔制御システムの構成図
【図２】実施の形態１に係る機器制御装置の構成図
【図３】実施の形態１に係る記憶部に記録される制御履歴を説明するための図
【図４】実施の形態１に係る遠隔制御システムの動作を示すフローチャート
【図５】実施の形態１に係る遠隔制御システムの制御シーケンス例を説明するための図
【図６】実施の形態１に係る遠隔制御システムの制御シーケンス例を説明するための図
【図７】実施の形態１に係る遠隔制御システムの制御シーケンス例を説明するための図
【図８】実施の形態１に係る遠隔制御システムの制御シーケンス例を説明するための図
【図９】実施の形態１に係る遠隔制御システムの制御シーケンス例を説明するための図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者（ら）は、当業者が本開示を十分に理解するために添付図面および以下の説明を提供するのであって、これらによって特許請求の範囲に記載の主題を限定することを意図するものではない。
【００１１】
また、以下の説明において、各要素を表現上明確に識別するため、各例に応じて、第１、第２または第３などの序数が付与されている。これらの序数は、適宜、付け替えられてもよいし、省略されてもよい、新たに付与されてもよい。
【００１２】
（実施の形態１）
［１−１．構成］
図１は、実施の形態１に係る遠隔制御システムの構成図である。
【００１３】
遠隔制御システム１は、遠隔制御サービスサーバ１１、第１宅外操作装置１２、第２宅外操作装置１３、ルータ１４、機器制御装置１５、第１宅内操作装置１６、第２宅内操作装置１７、第１機器１８、および、第２機器１９を備える。
【００１４】
遠隔制御サービスサーバ１１、第１宅外操作装置１２、および、第２宅外操作装置１３は、宅外に配置され外部ネットワークで相互に接続される。ルータ１４、機器制御装置１５、第１宅内操作装置１６、第２宅内操作装置１７、第１機器１８、および、第２機器１９は、宅内に配置され内部ネットワークで相互に接続される。
【００１５】
外部ネットワークは、例えばインターネットであり、内部ネットワークは、例えば無線ＬＡＮ（Ｌｏｃａｌ  Ａｒｅａ  Ｎｅｔｗｏｒｋ）である。宅内および宅外の装置、宅内の機器、および、宅外の遠隔制御サービスサーバ１１は、外部ネットワーク、内部ネットワーク、および、ルータ１４を介して、相互に接続される。
【００１６】
遠隔制御システム１では、第１宅外操作装置１２および第２宅外操作装置１３（総称して、宅外操作装置とも言う）が、遠隔制御サービスサーバ１１を介して機器制御装置１５にアクセスする。そして、宅外操作装置は、遠隔制御サービスサーバ１１および機器制御装置１５を介して、宅内の第１機器１８および第２機器１９（総称して、機器とも言う）を制御する。
【００１７】
また、遠隔制御システム１では、第１宅内操作装置１６および第２宅内操作装置１７（総称して、宅内操作装置とも言う）が、機器制御装置１５にアクセスする。そして、宅内操作装置は、機器制御装置１５を介して、宅内の機器を制御する。なお、宅外操作装置および宅内操作装置を総称して操作装置とも言う。また、宅内の機器を単に機器とも言う。
【００１８】
遠隔制御サービスサーバ１１は、宅外操作装置から外部ネットワークを介してアクセスされた場合、自己のｗｅｂサーバ機能を用いて、機器を遠隔制御するための制御メニューを宅外操作装置に送る。制御メニューは、宅外操作装置において、機器を制御するために表示される。ユーザが、制御メニュー上で遠隔制御対象の機器および制御命令を選択する。すなわち、宅外操作装置は、ユーザの操作に従って、遠隔制御対象の機器および制御命令を選択する。
【００１９】
遠隔制御サービスサーバ１１は、選択された機器と、選択された制御命令と、これらを選択した宅外操作装置の名称または識別ＩＤとで構成される制御情報を外部ネットワークおよびルータ１４を介して機器制御装置１５に送る。
【００２０】
宅外操作装置は、例えば、スマートフォンまたはタブレットコンピュータである。宅外操作装置は、ユーザの操作に従って、機器を遠隔制御するために遠隔制御サービスサーバ１１にアクセスする。そして、宅外操作装置は、遠隔制御サービスサーバ１１から受けた機器を制御するための制御メニュー上で遠隔制御対象の機器および制御命令をユーザの操作に従って選択する。
【００２１】
宅外操作装置は、選択された機器と、選択された制御命令と、自身の装置名または識別ＩＤとで構成される制御情報を遠隔制御サービスサーバ１１に送る。なお、図１においては、第１宅外操作装置１２および第２宅外操作装置１３の２台の宅外操作装置が図示されているが、宅外操作装置の台数は、これに限らず、１台または３台以上でも良い。
【００２２】
ルータ１４は、宅外操作装置が遠隔制御サービスサーバ１１を介して機器制御装置１５に送る制御情報を中継する。また、ルータ１４は、宅内操作装置が機器制御装置１５に送る制御情報を中継する。また、ルータ１４は、機器制御装置１５が機器に送る制御命令を中継する。なお、制御命令は、操作装置が機器制御装置１５に送信する制御情報に含まれる。
【００２３】
機器制御装置１５は、機器を制御する制御装置である。具体的には、機器制御装置１５は、操作装置から送られる制御情報を用いて、機器を制御する。また、機器制御装置１５は、操作装置から送られる制御情報によって機器の制御を開始した後、当該制御情報を所定の時間、例えば３０秒間、記憶し、所定の時間経過後、当該制御情報を削除する。
【００２４】
また、機器制御装置１５は、当該制御情報を記憶している間、操作装置から新たに制御情報を受けた場合、後述する操作装置の優先度に基づき、当該新たな制御情報によって機器の制御を行うか否かを判定する。
【００２５】
宅内操作装置は、例えば、タブレットコンピュータまたはスマートフォンである。宅内操作装置では、ユーザの操作に従って、機器を遠隔制御するための制御メニュー上で遠隔制御対象の機器および制御命令が選択される。宅内操作装置は、選択された機器と、選択された制御命令と、自身の装置名または識別ＩＤとで構成される制御情報を、ルータ１４を介して機器制御装置１５に送る。なお、図１においては、第１宅内操作装置１６および第２宅内操作装置１７の２台の宅内操作装置が図示されているが、宅内操作装置の台数は、これに限らず、１台または３台以上でも良い。
【００２６】
機器は、宅内の被制御装置であり、例えば、エアコンまたは電子シャッターである。機器は、ルータ１４を介して機器制御装置１５から送られる制御命令に従って動作する。
【００２７】
ここで、宅内は、同一の宅内を意味し、例えば、内部ネットワークで接続可能な範囲である。宅外は、宅内以外の範囲であって、外部ネットワークを介して接続される範囲である。例えば、別の施設内の装置が、外部ネットワークを介して宅内の機器等に接続される場合、別の施設内の装置は宅外の装置である。また、図１に示された施設内の装置でも、その装置が、外部ネットワークを介して宅内の機器等に接続される場合、その装置は宅外の装置として扱われる。
【００２８】
例えば、宅内操作装置が、外部ネットワークにも接続可能であり、外部ネットワークを介して宅内の機器等に接続される場合、その宅内操作装置は、宅外操作装置として扱われる。
【００２９】
また、機器制御装置１５は、遠隔制御サービスサーバ１１を介して制御情報を受信した場合、制御情報の送信元を宅外操作装置と識別してもよい。また、機器制御装置１５は、遠隔制御サービスサーバ１１を介さずに制御情報を受信した場合、制御情報の送信元を宅内操作装置と識別してもよい。また、機器制御装置１５は、制御情報を参照することにより、第１宅外操作装置１２、第２宅外操作装置１３、第１宅内操作装置１６、および、第２宅内操作装置１７の中から、制御情報の送信元である操作装置を特定してもよい。
【００３０】
また、制御情報が記憶されている所定の時間（期間）は、基本的に、機器が制御されている時間とは異なる。例えば、所定の時間は、制御の開始から終了までの時間から独立して定められる。より具体的には、例えば、所定の時間は、制御の開始から３０秒間等のような固定の時間である。
【００３１】
図２は、図１に示された機器制御装置１５の構成図である。
【００３２】
機器制御装置１５は、制御部１５１および記憶部１５２を備える。
【００３３】
制御部１５１は、操作装置から送られる制御情報を用いて、機器を制御する。また、制御部１５１は、操作装置から送られる制御情報によって機器の制御を開始した後、当該制御情報を所定の時間、例えば３０秒間、記憶部１５２に記憶し、所定の時間経過後、当該制御情報を記憶部１５２から削除する。また、制御部１５１は、記憶部１５２に制御情報が記憶されている間、操作装置から新たに制御情報を受けると、操作装置の優先度に基づき、当該新たな制御情報によって機器の制御を行うか否かを判定する。
【００３４】
記憶部１５２は、制御部１５１が行う制御に従って、操作装置からの制御情報を用いた制御の開始後、当該制御情報を所定の時間、例えば３０秒間、記憶する。具体的には、上記の通り、制御部１５１が記憶部１５２に当該制御情報を記憶する。また、記憶部１５２は、制御部１５１が行う制御に従って、所定の時間経過後、当該制御情報を削除する。具体的には、上記の通り、制御部１５１が記憶部１５２から当該制御情報を削除する。
【００３５】
図３は、図２に示された記憶部１５２に記憶される制御履歴を説明するための図である。
【００３６】
制御部１５１は、操作装置からの制御命令を機器に送る。制御部１５１は、機器の制御の開始後、機器から制御成功の応答を受ける。制御部１５１は、応答を受けた時刻の情報に、操作装置の情報と、機器の情報と、制御命令の情報とで構成される制御情報を加えた情報を１組として記憶部１５２に記憶する。図３は、２組の情報が制御履歴として、記憶部１５２に記憶されている状態を示している。
【００３７】
具体的には、図３の例において、記憶部１５２は、次のことを記憶している。すなわち、第１宅内操作装置１６であるタブレットコンピュータは、宅内の第１機器１８であるエアコンに電源「Ｏｎ」の制御命令を送っている。そして、エアコンでの電源「Ｏｎ」の制御が開始された後、制御部１５１は、エアコンから電源「Ｏｎ」成功の応答を１４時２３分５０秒に受けている。
【００３８】
記憶部１５２は、制御部１５１がエアコンから電源「Ｏｎ」成功の応答を受けた後、所定の時間、例えば３０秒間、当該制御情報を記憶している。
【００３９】
なお、記憶部１５２に記憶する制御履歴は、制御部１５１が機器の制御を開始した履歴である。記憶部１５２には、機器から制御成功の応答を受ける前に情報が記憶されてもよい。この場合、制御部１５１は、制御命令を機器に送った時刻の情報に、操作装置の情報と、機器の情報と、制御命令の情報とで構成される制御情報を加えた情報が１組として記憶部１５２に記憶される。
【００４０】
［１−２．動作］
以上のように構成された遠隔制御システム１の動作について、以下に説明する。
【００４１】
図４は、図１に示された遠隔制御システム１の動作を示すフローチャートである。特に、図４は、機器制御装置１５の制御部１５１の動作を示している。
【００４２】
まず、制御部１５１は、操作装置から制御情報を受信する（Ｓ４１）。
【００４３】
次に、制御部１５１は、受信した制御情報によって制御される機器が、記憶部１５２に記憶されている制御情報によって制御された機器と同一であるか否かを判定する（Ｓ４２）。なお、本フローチャートに関する以下の説明において、便宜上、記憶部１５２に記憶されている制御情報を第１制御情報とも言い、受信した制御情報を第２制御情報とも言う。また、第１制御情報を送信した操作装置を第１操作装置とも言い、第２制御情報を送信した操作装置を第２操作装置とも言う。
【００４４】
制御部１５１は、第２制御情報で制御される機器が、第１制御情報で制御された機器と同一である場合（Ｓ４２でＹｅｓ）、第２制御情報で機器の制御を行うか否かを判定する（Ｓ４３）。その際、制御部１５１は、第１操作装置の優先度および第２操作装置の優先度に基づいて、機器の制御を行うか否かを判定する。
【００４５】
制御部１５１は、第２操作装置の優先度が、第１操作装置の優先度よりも高い、または、第１操作装置の優先度と同じである場合（Ｓ４３でＹｅｓ）、第２制御情報に含まれる制御命令を機器に送る（Ｓ４４）。制御部１５１は、機器の制御の開始後、機器から制御成功の応答を受け、記憶部１５２に応答を受けた時刻とともに第２制御情報を記憶する（Ｓ４５）。
【００４６】
そして、制御部１５１は、第２操作装置に対して機器の制御が成功した旨を通知する（Ｓ４６）。
【００４７】
一方、制御部１５１は、第２制御情報で制御される機器が、第１制御情報で制御された機器と同一でない場合（Ｓ４２でＮｏ）、第２制御情報で制御される機器に、第２制御情報に含まれる制御命令を送信する（Ｓ４４）。その後の動作は既に述べたとおりである。
【００４８】
また、制御部１５１は、第２操作装置の優先度が、第１操作装置の優先度よりも低い場合（Ｓ４３でＮｏ）、第２制御情報で制御される機器に第２制御情報に含まれる制御命令を送らず、第２操作装置に対してその旨を通知する（Ｓ４６）。
【００４９】
上記の通り、第２制御情報で制御される機器が、第１制御情報で制御された機器と同一である場合（Ｓ４２でＹｅｓ）、制御部１５１は、第２操作装置の優先度が第１操作装置の優先度よりも高いか否かを判定する（Ｓ４３）。第１操作装置の優先度と第２操作装置の優先度との関係は以下の通りである。
【００５０】
制御部１５１は、第２操作装置が、第１操作装置とは異なる操作装置であり、かつ、宅外の操作装置である場合、第２操作装置の優先度が第１操作装置の優先度よりも低いと判定する（Ｓ４３でＮｏ）。言い換えれば、制御部１５１は、第１操作装置とは異なる操作装置であって、宅外の操作装置を第１操作装置よりも優先度が低い操作装置と識別する。
【００５１】
また、制御部１５１は、第１操作装置が宅外の操作装置であり、第２操作装置が宅内の操作装置である場合、第２操作装置の優先度は第１操作装置の優先度よりも高いと判定する（Ｓ４３でＹｅｓ）。言い換えれば、制御部１５１は、第１操作装置が宅外の操作装置である場合、宅内の操作装置を第１操作装置よりも優先度が高い操作装置と識別する。
【００５２】
また、制御部１５１は、第１操作装置が宅内の操作装置であり、第２操作装置が宅内の操作装置である場合、第１操作装置に対して予め定められた優先度よりも第２操作装置に対して予め定められた優先度が高いか否かを判定する（Ｓ４３）。
【００５３】
言い換えれば、制御部１５１は、第１操作装置が宅内の操作装置である場合、宅内の別の操作装置であって、第１操作装置よりも予め定められた優先度が低い操作装置を第１操作装置よりも優先度が低い操作装置と識別する。また、制御部１５１は、第１操作装置が宅内の操作装置である場合、宅内の別の操作装置であって、第１操作装置よりも予め定められた優先度が高い操作装置を第１操作装置よりも優先度が高い操作装置と識別する。
【００５４】
また、制御部１５１は、第２操作装置が、第１操作装置と同じ操作装置である場合、つまり、第２制御情報の送信元が第１制御情報の送信元と同じである場合、第２操作装置の優先度が第１操作装置の優先度と同じであると判定する（Ｓ４３でＹｅｓ）。言い換えれば、制御部１５１は、第１操作装置と同じ操作装置を第１操作装置と優先度が同じ操作装置と識別する。
【００５５】
なお、図４に示された動作では、第２操作装置の優先度が第１操作装置の優先度と同じである場合、第２操作装置の優先度が第１操作装置の優先度よりも高い場合と同様に、第２制御情報に従う制御が行われる。これにより、第２操作装置の優先度が第１操作装置の優先度と同じである場合、新たな制御が現状の制御よりも優先される。この動作は一例であり、第１操作装置とは異なる第２操作装置の優先度が第１操作装置の優先度と同じである場合、現状の制御が優先され、第２制御情報に従う制御が行われなくてもよい。
【００５６】
また、制御部１５１は、第１制御情報に従う制御が行っている場合において、第２制御情報に従う制御を行う場合、第１制御情報に従う制御を停止する。制御部１５１は、第１制御情報に従う制御が行っている場合において、第２制御情報に従う制御を行わない場合、第１制御情報に従う制御を継続する。
【００５７】
以下、図５から図９を用いて、遠隔制御システム１の制御シーケンスの例を説明する。
【００５８】
図５から図９は、図１に示された遠隔制御システム１の制御シーケンス例を説明するための図である。また、各図に関する以下の説明において、便宜上、機器制御装置１５へ初めに送信される制御情報を第１制御情報とも言い、第１制御情報の次に送信される制御情報を第２制御情報とも言い、第２制御情報の次に送信される制御情報を第３制御情報とも言う。
【００５９】
まず、図５の例を説明する。図５の例において、第１宅内操作装置１６は、第１機器１８を制御するための第１制御情報を機器制御装置１５に送る（Ｓ５０１）。機器制御装置１５は、第１制御情報に含まれる制御命令を第１機器１８に送り、第１機器１８を制御する（Ｓ５０２）。制御が開始された場合、第１機器１８は制御結果（ここでは制御成功）を機器制御装置１５に応答する（Ｓ５０３）。
【００６０】
機器制御装置１５は、第１機器１８からの応答を受け、第１制御情報とともにその時刻を記憶する（Ｓ５０４）。機器制御装置１５は、第１機器１８からの応答を第１宅内操作装置１６に通知する（Ｓ５０５）。
【００６１】
次に、第１宅外操作装置１２は、第１制御情報が記憶された時点から所定の時間内に第１機器１８を制御するための第２制御情報を機器制御装置１５に送る（Ｓ５０６）。機器制御装置１５は、第１制御情報が記憶された時点から所定の時間内に第２制御情報を受信する。
【００６２】
この例では、第１宅外操作装置１２で制御される第１機器１８は、第１宅内操作装置１６で制御された第１機器１８と同一である。第１宅外操作装置１２は、第１制御情報を送った第１宅内操作装置１６とは異なる操作装置であり、かつ、宅外の操作装置である。
【００６３】
そのため、機器制御装置１５は、第２制御情報によって第１機器１８の制御を行わない。機器制御装置１５は、その旨を第１宅外操作装置１２に通知する（Ｓ５０７、Ｓ５０８）。
【００６４】
次に、第１宅外操作装置１２は、第１制御情報が記憶された時点から所定の時間の後に、第１機器１８を制御するための第３制御情報を機器制御装置１５に送る（Ｓ５０９）。機器制御装置１５は、第１制御情報が記憶された時点から所定の時間の後に第３制御情報を受信する。
【００６５】
所定の時間の後において、第１制御情報は、既に履歴から削除され、記憶されていない。したがって、機器制御装置１５は、第３制御情報によって第１機器１８の制御を行う。すなわち、機器制御装置１５は、第３制御情報に含まれる制御命令を第１機器１８に送り、第１機器１８を制御する（Ｓ５１０、Ｓ５１１）。
【００６６】
制御が開始された場合、第１機器１８は、制御結果（ここでは制御成功）を機器制御装置１５に応答する（Ｓ５１２）。機器制御装置１５は、第１機器１８からの応答を受け、第３制御情報とともにその時刻を記憶する（Ｓ５１３）。機器制御装置１５は、第１機器１８からの応答を第１宅外操作装置１２に通知する（Ｓ５１４）。
【００６７】
次に、図６の例を説明する。図６の例において、第１宅外操作装置１２は、第１機器１８を制御するための第１制御情報を機器制御装置１５に送る（Ｓ６０１）。機器制御装置１５は、第１制御情報に含まれる制御命令を第１機器１８に送り、第１機器１８を制御する（Ｓ６０２）。制御が開始された場合、第１機器１８は制御結果（ここでは制御成功）を機器制御装置１５に応答する（Ｓ６０３）。
【００６８】
機器制御装置１５は、第１機器１８からの応答を受け、第１制御情報とともにその時刻を記憶する（Ｓ６０４）。機器制御装置１５は、第１機器１８からの応答を第１宅外操作装置１２に通知する（Ｓ６０５）。
【００６９】
次に、第１宅内操作装置１６は、第１制御情報が記憶された時点から所定の時間内に、第１機器１８を制御するための第２制御情報を機器制御装置１５に送る（Ｓ６０６）。機器制御装置１５は、第１制御情報が記憶された時点から所定の時間内に第２制御情報を受信する。
【００７０】
この例では、第１宅内操作装置１６で制御される第１機器１８は、第１宅外操作装置１２で制御された第１機器１８と同一である。しかし、第１制御情報を送った第１宅外操作装置１２は宅外の操作装置であり、第２制御情報を送った第１宅内操作装置１６は宅内の操作装置である。
【００７１】
そのため、機器制御装置１５は、第２制御情報によって第１機器１８の制御を行う。機器制御装置１５は、第２制御情報に含まれる制御命令を第１機器１８に送り、第１機器１８を制御する（Ｓ６０７、Ｓ６０８）。
【００７２】
制御が開始された場合、第１機器１８は、制御結果（ここでは制御成功）を機器制御装置１５に応答する（Ｓ６０９）。機器制御装置１５は、第１機器１８からの応答を受け、第２制御情報とともにその時刻を記憶する（Ｓ６１０）。機器制御装置１５は、第１機器１８からの応答を第１宅内操作装置１６に通知する（Ｓ６１１）。
【００７３】
次に、図７の例を説明する。図７の例において、第１宅内操作装置１６に対して予め定められた優先度は、第２宅内操作装置１７に対して予め定められた優先度よりも高い。第１宅内操作装置１６は、第１機器１８を制御するための第１制御情報を機器制御装置１５に送る（Ｓ７０１）。機器制御装置１５は、第１制御情報に含まれる制御命令を第１機器１８に送り、第１機器１８を制御する（Ｓ７０２）。制御が開始された場合、第１機器１８は、制御結果（ここでは制御成功）を機器制御装置１５に応答する（Ｓ７０３）。
【００７４】
機器制御装置１５は、第１機器１８からの応答を受け、第１制御情報とともにその時刻を記憶する（Ｓ７０４）。機器制御装置１５は、第１機器１８からの応答を第１宅内操作装置１６に通知する（Ｓ７０５）。
【００７５】
次に、第２宅内操作装置１７は、第１制御情報が記憶された時点から所定の時間内に第１機器１８を制御するための第２制御情報を機器制御装置１５に送る（Ｓ７０６）。機器制御装置１５は、第１制御情報が記憶された時点から所定の時間内に第２制御情報を受信する。
【００７６】
この例では、第２宅内操作装置１７で制御される第１機器１８は、第１宅内操作装置１６で制御された第１機器１８と同一である。第１宅内操作装置１６および第２宅内操作装置１７は、それぞれ、宅内の操作装置である。第２宅内操作装置１７の予め定められた優先度は、第１宅内操作装置１６の予め定められた優先度よりも低い。
【００７７】
そのため、機器制御装置１５は、第２制御情報によって第１機器１８の制御を行わない。制御部１５１は、その旨を第２宅内操作装置１７に通知する（Ｓ７０７、Ｓ７０８）。
【００７８】
次に、第２宅内操作装置１７は、第１制御情報が記憶された時点から所定の時間の後に、第１機器１８を制御するための第３制御情報を機器制御装置１５に送る（Ｓ７０９）。機器制御装置１５は、第１制御情報が記憶された時点から所定の時間の後に第３制御情報を受信する。
【００７９】
所定の時間の後において、第１制御情報は、既に履歴から削除され、記憶されていない。したがって、機器制御装置１５は、第３制御情報によって第１機器１８の制御を行う。すなわち、機器制御装置１５は、第３制御情報に含まれる制御命令を第１機器１８に送り、第１機器１８を制御する（Ｓ７１０、Ｓ７１１）。
【００８０】
制御が開始された場合、第１機器１８は、制御結果（ここでは制御成功）を機器制御装置１５に応答する（Ｓ７１２）。機器制御装置１５は、第１機器１８からの応答を受け、第３制御情報とともにその時刻を記憶する（Ｓ７１３）。機器制御装置１５は、第１機器１８からの応答を第２宅内操作装置１７に通知する（Ｓ７１４）。
【００８１】
なお、図７の例において、第１宅内操作装置１６に対して予め定められた優先度が第２宅内操作装置１７に対して予め定められた優先度よりも低い場合、機器制御装置１５は、第２宅内操作装置１７から所定時間内に受けた第２制御情報に従う制御を行う。
【００８２】
第１宅内操作装置１６に対して予め定められた優先度、および、第２宅内操作装置１７に対して予め定められた優先度は、機器制御装置１５において予め登録されていてもよい。例えば、より具体的には、これらの予め定められた優先度は、機器制御装置１５の記憶部１５２に記憶されていてもよい。
【００８３】
また、例えば、第１宅内操作装置１６が第１機器１８に取り付けられている操作装置であり、かつ、第２宅内操作装置１７が第１機器１８に取り付けられていない操作装置である場合がある。このような場合、第１宅内操作装置１６の予め定められた優先度は、第２宅内操作装置１７の予め定められた優先度よりも高いと規定されてもよい。
【００８４】
次に、図８の例を説明する。図８の例において、第１宅外操作装置１２は、第１機器１８を制御するための第１制御情報を機器制御装置１５に送る（Ｓ８０１）。機器制御装置１５は、第１制御情報に含まれる制御命令を第１機器１８に送り、第１機器１８を制御する（Ｓ８０２）。制御が開始された場合、第１機器１８は制御結果（ここでは制御成功）を機器制御装置１５に応答する（Ｓ８０３）。
【００８５】
機器制御装置１５は、第１機器１８からの応答を受け、第１制御情報とともにその時刻を記憶する（Ｓ８０４）。機器制御装置１５は、第１機器１８からの応答を第１宅外操作装置１２に通知する（Ｓ８０５）。
【００８６】
次に、第２宅外操作装置１３は、第１制御情報が記憶された時点から所定の時間内に第１機器１８を制御するための第２制御情報を機器制御装置１５に送る（Ｓ８０６）。機器制御装置１５は、第１制御情報が記憶された時点から所定の時間内に第２制御情報を受信する。
【００８７】
この例では、第２宅外操作装置１３で制御される第１機器１８は、第１宅外操作装置１２で制御された第１機器１８と同一である。また、第２制御情報を送った第２宅外操作装置１３が、第１制御情報を送った第１宅外操作装置１２とは異なる操作装置であり、かつ、宅外の操作装置である。
【００８８】
そのため、機器制御装置１５は、第２宅外操作装置１３からの第２制御情報による第１機器１８の制御を行わない。機器制御装置１５は、その旨を第２宅外操作装置１３に通知する（Ｓ８０７、Ｓ８０８）。
【００８９】
次に、第２宅外操作装置１３は、第１制御情報が記憶された時点から所定の時間の後に、第１機器１８を制御するための第３制御情報を機器制御装置１５に送る（Ｓ８０９）。機器制御装置１５は、第１制御情報が記憶された時点から所定の時間の後に第３制御情報を受信する。
【００９０】
所定の時間の後において、第１制御情報は、既に履歴から削除され、記憶されていない。したがって、機器制御装置１５は、第３制御情報によって第１機器１８の制御を行う。すなわち、機器制御装置１５は、第３制御情報に含まれる制御命令を第１機器１８に送り、第１機器１８を制御する（Ｓ８１０、Ｓ８１１）。
【００９１】
制御が開始された場合、第１機器１８は、制御結果（ここでは制御成功）を機器制御装置１５に応答する（Ｓ８１２）。機器制御装置１５は、第１機器１８からの応答を受け、第３制御情報とともにその時刻を記憶する（Ｓ８１３）。機器制御装置１５は、第１機器１８からの応答を第２宅外操作装置１３に通知する（Ｓ８１４）。
【００９２】
次に、図９の例を説明する。図９の例において、第１宅内操作装置１６は、第１機器１８を制御するための第１制御情報を機器制御装置１５に送る（Ｓ９０１）。機器制御装置１５は、第１制御情報に含まれる制御命令を第１機器１８に送り、第１機器１８を制御する（Ｓ９０２）。
【００９３】
制御が開始された場合、第１機器１８は制御結果（ここでは制御成功）を機器制御装置１５に応答する（Ｓ９０３）。機器制御装置１５は、第１機器１８からの応答を受け、第１制御情報とともにその時刻を記憶する（Ｓ９０４）。機器制御装置１５は、第１機器１８からの応答を第１宅内操作装置１６に通知する（Ｓ９０５）。
【００９４】
次に、第１宅内操作装置１６は、第１制御情報が記憶された時点から所定の時間内に第１機器１８を制御するための第２制御情報を機器制御装置１５に送る（Ｓ９０６）。機器制御装置１５は、第１制御情報が記憶された時点から所定の時間内に第２制御情報を受信する。
【００９５】
この例では、同じ第１宅内操作装置１６が同じ第１機器１８を制御する。そのため、機器制御装置１５は、第２制御情報によって第１機器１８の制御を行う。すなわち、機器制御装置１５は、第２制御情報に含まれる制御命令を第１機器１８に送り、第１機器１８を制御する（Ｓ９０７、Ｓ９０８）。制御が開始された場合、第１機器１８は、制御結果（ここでは制御成功）を機器制御装置１５に応答する（Ｓ９０９）。
【００９６】
機器制御装置１５は、第１機器１８からの応答を受け、第２制御情報とともにその時刻を改めて記憶する（Ｓ９１０）。このとき、機器制御装置１５は、元々記憶部１５２に記憶していた第１制御情報を削除する。機器制御装置１５は、第１機器１８からの応答を第１宅内操作装置１６に通知する（Ｓ９１１）。
【００９７】
なお、上述した通り、第１、第２または第３などの序数は、各要素を表現上明確に識別するため付与される。これらの序数は、適宜、付け替えられてもよいし、省略されてもよい、新たに付与されてもよい。
【００９８】
具体的には、機器を制御するための制御情報であって機器制御装置１５へ初めに送信される制御情報が第１制御情報と表現され、第１制御情報を送信した操作装置が第１操作装置と表現されてもよい。そして、第１操作装置よりも優先度の低い操作装置が第２操作装置と表現され、機器を制御するための制御情報であって第２操作装置から送信される制御情報が第２制御情報と表現されてもよい。
【００９９】
例えば、機器制御装置１５の制御部１５１は、第１制御情報が機器制御装置１５の記憶部１５２に記憶されている所定の時間内において第１操作装置よりも優先度が低い第２操作装置から第２制御情報を受信した場合、第２制御情報に従って機器を制御しない。そして、制御部１５１は、所定の時間の後において、第１操作装置よりも優先度が低い第２操作装置から第２制御情報を受信した場合、第２制御情報に従って機器を制御する。
【０１００】
また、例えば、制御部１５１は、第１制御情報が記憶されている所定の時間内において第１制御情報に従う制御の終了前に第１操作装置よりも優先度が低い第２操作装置から第２制御情報を受信した場合、第２制御情報に従う制御を行わず、第１制御情報に従う制御を継続する。そして、制御部１５１は、所定の時間の後、第１制御情報に従う制御の終了前に第１操作装置よりも優先度が低い第２操作装置から第２制御情報を受信した場合、第１制御情報に従う制御を停止して、第２制御情報に従う制御を行う。
【０１０１】
また、第１操作装置よりも優先度が高い操作装置が第３操作装置と表現され、機器を制御するための制御情報であって第３操作装置から送信される制御情報が第３制御情報と表現されてもよい。例えば、制御部１５１は、第１制御情報が記憶されている所定の時間内において第１操作装置よりも優先度が高い第３操作装置から第３制御情報を受信した場合、第３制御情報に従って機器を制御する。
【０１０２】
また、第１操作装置と優先度が同じ操作装置が第４操作装置と表現され、機器を制御するための制御情報であって第４操作装置から送信される制御情報が第４制御情報と表現されてもよい。例えば、制御部１５１は、第１制御情報が記憶されている所定の時間内において第１操作装置と優先度が同じ第４操作装置から第４制御情報を受信した場合、第４制御情報に従って機器を制御する。
【０１０３】
また、機器を制御するための制御情報であって第１操作装置から新たに送信される制御情報が第５制御情報と表現されてもよい。例えば、制御部１５１は、第１制御情報が記憶されている所定の時間内において第１操作装置から第５制御情報を受信した場合、第５制御情報に従って機器を制御する。
【０１０４】
また、宅内の別の機器を制御するための制御情報が第６制御情報と表現されてもよい。例えば、制御部１５１は、第１制御情報が記憶されている所定の時間内において第１操作装置よりも優先度が低い第２操作装置から宅内の別の機器を制御するための第６制御情報を受信した場合、第６制御情報に従って機器を制御する。
【０１０５】
［１−３．効果等］
以上のように、実施の形態１において、機器制御装置１５は、宅内の機器を制御する。また、機器制御装置１５は、制御部１５１および記憶部１５２を備える。
【０１０６】
制御部１５１は、第１操作装置から第１制御情報を受信し、第１制御情報に従って機器を制御する。記憶部１５２は、第１制御情報に従う第１制御の開始後、第１制御情報を所定の時間記憶するための記憶部である。
【０１０７】
制御部１５１は、第１制御情報が記憶部１５２に記憶されている所定の時間内において第１操作装置よりも優先度が低い第２操作装置から第２制御情報を受信した場合、第２制御情報に従って機器を制御しない。制御部１５１は、所定の時間の後において第２操作装置から第２制御情報を受信した場合、第２制御情報に従って機器を制御する。
【０１０８】
これにより、機器制御装置１５は、優先度の低い操作装置から受信された制御情報に従って、宅内の機器を適切に制御することができる。例えば、優先度の高い操作装置によって構築された状態が、所定の時間内において維持される。また、例えば、所定の時間の後において優先度の低い操作装置が制御を変更することができる。したがって、制御の柔軟な変更か可能である。
【０１０９】
機器の制御は、継続して長期間行われる場合がある。例えば、エアコン等の制御において、所定の設定温度に維持するための制御が、継続して長期間行われる場合がある。このような制御が優先度の高い操作装置によって行われた場合でも、機器制御装置１５は、所定の時間の後において、優先度の低い操作装置から受信した制御情報に従って、制御を変更することができる。
【０１１０】
一方で、機器の制御は、瞬時に終了し、短期間で機器が制御から開放される場合がある。例えば、各種の機器の電源のＯＮおよびＯＦＦの切り替えの制御は、瞬時に終了すると想定される。このような制御が優先度の高い操作装置によって行われた場合、機器制御装置１５は、所定の時間内において、優先度の低い操作装置によって機器の状態が変更されることを制限し、優先度の高い操作装置によって制御された機器の状態を維持することができる。
【０１１１】
例えば、上記の所定の時間は、第１制御の終了までの時間とは異なる。具体的には、例えば、上記の所定の時間は、第１制御の終了までの時間から独立して定められる時間である。より具体的には、例えば、第１制御の開始から３０秒間等のように、予め定められた固定の時間である。これにより、優先度が低い操作装置が、所定の時間の後において、第１制御の終了を待たずに、機器を制御することができる。また、例えば、第１制御の終了の後、第１制御で構築された状態が、所定の時間内において維持される。
【０１１２】
また、例えば、制御部１５１は、所定の時間内において第１制御の終了前に第２操作装置から第２制御情報を受信した場合、第１制御を継続する。また、制御部１５１は、所定の時間の後、第１制御の終了前に第２操作装置から第２制御情報を受信した場合、第１制御を停止する。
【０１１３】
これにより、優先度が低い操作装置が、第１制御の終了を待たずに、機器を適切に制御することができる。
【０１１４】
また、例えば、制御部１５１は、所定の時間内において第１操作装置よりも優先度が高い第３操作装置から第３制御情報を受信した場合、第３制御情報に従って機器を制御する。
【０１１５】
これにより、優先度が高い操作装置は、所定の時間内において、機器制御装置１５を介して、機器を制御することができる。
【０１１６】
また、例えば、制御部１５１は、所定の時間内において第１操作装置と優先度が同じ第４操作装置から第４制御情報を受信した場合、第４制御情報に従って機器を制御する。
【０１１７】
これにより、前に機器を制御した操作装置と優先度が同じ操作装置は、所定の時間内において、機器制御装置１５を介して、機器を制御することができる。
【０１１８】
また、例えば、制御部１５１は、所定の時間内において第１操作装置と優先度が同じ第４操作装置から第４制御情報を受信した場合、第４制御情報に従って機器を制御せず、所定の時間の後において第４操作装置から第４制御情報を受信した場合、第４制御情報に従って機器を制御する。
【０１１９】
これにより、前に機器を制御した操作装置と優先度が同じ操作装置は、所定の時間の後において、機器制御装置１５を介して、機器を制御することができる。
【０１２０】
また、例えば、制御部１５１は、所定の時間内において第１操作装置から第５制御情報を受信した場合、第５制御情報に従って機器を制御する。
【０１２１】
これにより、前に機器を制御した操作装置と同じ操作装置は、所定の時間内において、機器制御装置１５を介して、機器を制御することができる。
【０１２２】
また、例えば、制御部１５１は、第１操作装置とは別の操作装置であって、宅外の操作装置を第１操作装置よりも優先度が低い第２操作装置と識別する。
【０１２３】
これにより、機器制御装置１５は、所定の時間内において、宅外の操作装置からの制御を制限することができる。
【０１２４】
また、例えば、制御部１５１は、第１操作装置が宅内の操作装置である場合、宅内の別の操作装置であって、第１操作装置よりも予め定められた優先度が低い操作装置を第１操作装置よりも優先度が低い第２操作装置と識別する。
【０１２５】
これにより、機器制御装置１５は、所定の時間内において、宅内の操作装置からの制御を制限することができる。
【０１２６】
また、例えば、制御部１５１は、第１操作装置が宅外の操作装置である場合、宅内の操作装置を第１操作装置よりも優先度が高い第３操作装置と識別する。
【０１２７】
これにより、機器制御装置１５は、宅外の操作装置からの制御よりも宅内の操作装置からの制御を優先させることができる。
【０１２８】
また、例えば、制御部１５１は、第１操作装置が宅内の操作装置である場合、宅内の別の操作装置であって、第１操作装置よりも予め定められた優先度が高い操作装置を第１操作装置よりも優先度が高い第３操作装置と識別する。
【０１２９】
これにより、機器制御装置１５は、宅内の複数の操作装置のうち、予め定められた優先度が高い操作装置からの制御を優先させることができる。
【０１３０】
また、例えば、制御部１５１は、所定の時間内において第２操作装置から宅内の別の機器を制御するための第６制御情報を受信した場合、第６制御情報に従って別の機器を制御する。
【０１３１】
これにより、機器制御装置１５は、優先度が高い第１操作装置から受信された制御情報に従って制御されていない別の機器を優先度が低い第２操作装置から受信された制御情報に従って制御することができる。
【０１３２】
また、例えば、制御部１５１は、所定の時間の後、記憶部１５２に記憶された第１制御情報を記憶部１５２から削除してもよい。また、制御部１５１は、所定の時間の後、記憶部１５２に記憶された第１制御情報を記憶部１５２から削除せずに無効にしてもよい。また、制御部１５１は、第１制御の開始から所定の時間が経過しているか否かに基づいて、第１制御情報が無効であるか否かを判定してもよい。そして、制御部１５１は、第１制御情報が無効である場合、第２制御情報に従って機器を制御してもよい。
【０１３３】
また、例えば、記憶部１５２に記憶される第１制御情報は、第１操作装置から受信された第１制御情報と完全に一致していなくてもよい。第１制御情報が記憶部１５２に記憶される際に、適宜、形式が変更されてもよいし、別の情報が追加されてもよいし、一部の情報が変更または削除されてもよい。
【０１３４】
また、上記の所定の時間は、第１制御の終了までの時間と同じでもよい。あるいは、所定の時間は、第１制御の終了までの時間に依存する時間でもよい。例えば、所定の時間は、第１制御の終了から一定の時間を含む時間でもよい。また、制御の開始後の所定の時間は、制御の終了後の所定の時間でもよい。
【０１３５】
また、実施の形態１に示された機器制御装置１５の構成は、以下のように表現されてもよい。
【０１３６】
例えば、実施の形態１において、機器制御装置１５は、複数の操作装置から送信される制御情報に基づいて機器を制御する。また、機器制御装置１５は、記憶部１５２および制御部１５１を備える。記憶部１５２は、第１制御情報に基づく機器の制御の開始後、第１制御情報を所定の時間記憶する。
【０１３７】
制御部１５１は、第１制御情報を記憶している間、新たに第２制御情報を受ける。そして、制御部１５１は、第１制御情報および第２制御情報で制御される機器が同一である場合、第２制御情報によって機器の制御を行うか否かを判定する。その際、制御部１５１は、第１制御情報を送信した操作装置（第１操作装置）の優先度と第２制御情報を送信した操作装置（第２操作装置）の優先度とに基づいて、第２制御情報による機器の制御を行うか否かを判定する。
【０１３８】
これにより、機器制御装置１５は、所定の時間内に複数の操作装置から宅内の同じ機器を制御する場合、優先度の高い操作装置により機器を適切に制御することができる。
【０１３９】
また、例えば、制御部１５１は、第２操作装置が、第１操作装置とは異なる操作装置であり、かつ、宅外の操作装置である場合、第２制御情報による機器の制御を行わない。
【０１４０】
これにより、宅内または宅外の第１ユーザが機器を宅内または宅外の第１操作装置で制御した後、所定の時間内に宅外の別の第２ユーザが宅外の別の第２操作装置で当該機器を制御しようとした場合、第１ユーザの操作に従う制御が維持される。したがって、機器制御装置１５は、第１ユーザが意図しない動作が機器において行われることを抑制することができる。
【０１４１】
また、例えば、制御部１５１は、第１操作装置が宅外の操作装置であり、第２操作装置が宅内の操作装置である場合、第２制御情報による機器の制御を行う。
【０１４２】
これにより、宅外の第１ユーザが機器を宅外の第１操作装置で制御した後、所定の時間内に宅内の第２ユーザが宅内の第２操作装置で当該機器の制御を変更しようとした場合、宅内の第２ユーザの操作によって機器の制御が変更される。したがって、機器制御装置１５は、機器を宅内の第２ユーザが意図した動作に変更することができる。
【０１４３】
また、例えば、制御部１５１は、第１操作装置が宅内の操作装置であり、第２操作装置が宅内の別の操作装置である場合、第１操作装置と第２操作装置とに対して予め定められた優先度に基づき、第２制御情報によって機器の制御を行うか否かを判定する。
【０１４４】
これにより、所定の時間内に宅内の複数ユーザがそれぞれ宅内の複数の操作装置から機器を操作する場合、機器制御装置１５は、機器を最も優先度の高い操作装置を持つユーザが意図した動作に制御することができる。
【０１４５】
また、例えば、制御部１５１は、第２操作装置（第２制御情報の送信元）が第１操作装置（第１制御情報の送信元）と同じである場合、第２操作装置によって機器の制御を行う。
【０１４６】
これにより、同じ操作装置は、所定の時間内に宅内の同じ機器を連続して制御することができる。
【０１４７】
（その他の実施の形態）
実施の形態１では、制御部１５１は、受信した第２制御情報で制御される機器が、記憶部１５２に記憶されている第１制御情報で制御された機器と同一であるか否かを判定する。
【０１４８】
そして、受信した第２制御情報で制御される機器が、記憶部１５２に記憶されている第１制御情報で制御された機器と同一である場合（Ｓ４２でＹｅｓ）、制御部１５１は、第２操作装置の優先度が第１操作装置よりも高いか否かを判定する。具体的には、制御部１５１は、受信した第２制御情報を送った第２操作装置が記憶部１５２に記憶されている第１制御情報を送った第１操作装置よりも優先度が高いか否かを判定する（Ｓ４３）。
【０１４９】
機器制御装置１５は、上記に限らず、複数の操作装置からのそれぞれの制御情報に含まれる制御命令の優先度を他と比較してもよいし、操作装置から機器制御装置１５に制御命令が送られる際に用いられるネットワーク種別の優先度を他と比較してもよい。例えば、機器制御装置１５は、赤外線を用いて送られてきた制御情報をその他のネットワークを用いて送られてきた制御情報よりも優先してもよい。
【０１５０】
また、実施の形態１では、図１で示したように、機器制御装置１５と第１機器１８と第２機器１９とが別体として構成されている。第１機器１８および第２機器１９のそれぞれと、機器制御装置１５とは、一体として構成されてもよい。つまり、第１機器１８または第２機器１９は、機器制御装置１５を含んでもよい。
【０１５１】
また、上記において、所定の時間の例として、３０秒間が示されているが、優先度の高い操作装置によって行われる制御を維持するため、より長い時間が所定の時間として用いられてもよい。例えば、５分間でもよいし、３０分間でもよいし、１時間でもよい。
【０１５２】
また、機器制御装置１５は、本開示における複数の構成要素を選択的に備えてもよいし、機器制御方法は、本開示における複数の処理を選択的に含んでもよい。
【０１５３】
また、本開示における各構成要素は、回路でもよい。これらの回路は、全体として１つの回路を構成してもよいし、それぞれ別々の回路でもよい。また、これらの回路は、それぞれ、汎用的な回路でもよいし、専用の回路でもよい。
【０１５４】
また、本開示における各処理をコンピュータが実行してもよい。例えば、コンピュータが、プロセッサ（ＣＰＵ）、メモリおよび入出力回路等のハードウェア資源を用いてプログラムを実行することによって、本開示における各処理を実行する。具体的には、プロセッサが処理対象のデータをメモリまたは入出力回路等から取得してデータを演算したり、演算結果をメモリまたは入出力回路等に出力したりすることによって、各処理を実行する。
【０１５５】
また、本開示における各処理を実行するためのプログラムが、コンピュータ読み取り可能なＣＤ−ＲＯＭ等の非一時的な記録媒体に記録されてもよい。この場合、コンピュータが、非一時的な記録媒体からプログラムを読み出して、プログラムを実行することにより、各処理を実行する。
【０１５６】
以上のように、本開示における技術の例示として、実施の形態を説明した。そのために、添付図面および詳細な説明を提供した。
【０１５７】
したがって、添付図面および詳細な説明に記載された構成要素の中には、課題解決のために必須な構成要素だけでなく、上記実装を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５８】
また、上述の実施の形態は、本開示における技術を例示するためのものであるから、特許請求の範囲またはその均等の範囲において種々の変更、置き換え、付加、省略などを行うことができる。
【産業上の利用可能性】
【０１５９】
本開示は、操作装置から送信される制御情報に基づいて宅内の機器を制御する制御技術として有用であり、宅内機器制御装置、遠隔制御装置、宅内機器制御システム、および、遠隔制御システム等に適用可能である。
【符号の説明】
【０１６０】
１      遠隔制御システム
１１    遠隔制御サービスサーバ
１２    第１宅外操作装置
１３    第２宅外操作装置
１４    ルータ
１５    機器制御装置
１６    第１宅内操作装置
１７    第２宅内操作装置
１８    第１機器
１９    第２機器
１５１  制御部
１５２  記憶部
【図１】
2015188205.tif 000003
【図２】
2015188205.tif 000004
【図３】
2015188205.tif 000005
【図４】
2015188205.tif 000006
【図５】
2015188205.tif 000007
【図６】
2015188205.tif 000008
【図７】
2015188205.tif 000009
【図８】
2015188205.tif 000010
【図９】
2015188205.tif 000011